(57)【要約】【課題】  コンテンツサービス内でのユーザの回遊を促進する。【解決手段】    本発明の一実施形態に係るコンテンツサービス提供システム１０は、電子書籍（漫画を含む。）、音楽、映像等のデジタルコンテンツを利用するためのコンテンツサービスを、ユーザ端末３０を介して提供する。当該システム１０は、コンテンツサービスにおいて提供される対象のコンテンツの利用制限を解除するための要求を受け付けると、同じくコンテンツサービスにおいて利用可能な紹介コンテンツを紹介するサブコンテンツを再生するための画面をユーザに提示すると共に、当該サブコンテンツの再生の完了に応じて対象のコンテンツの利用制限を解除し、さらに、サブコンテンツを再生するための画面が、紹介コンテンツの所定のリストへの追加要求が受付可能となるように構成されている。【選択図】  図１
2020042733.tif 000002
【特許請求の範囲】
【請求項１】
１又は複数のコンピュータプロセッサを備え、ユーザがコンテンツを利用するための所定のコンテンツサービスを提供するためのシステムであって、
前記１又は複数のコンピュータプロセッサは、読取可能な命令の実行に応じて、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行する、
システム。
【請求項２】
前記第１のコンテンツの利用制限を解除する処理は、前記第２のコンテンツの前記特定のユーザの前記所定のリストへの追加に応じて、前記第１のコンテンツの利用制限を解除することを含む、
請求項１のシステム。
【請求項３】
前記第１の画面を提示する処理は、複数のサブコンテンツの中から、前記第１のコンテンツと提供者が同一である前記第２のコンテンツを紹介するサブコンテンツを、前記第１の画面において再生するサブコンテンツとして選択することを含む、
請求項１又は２のシステム。
【請求項４】
前記１又は複数のコンピュータプロセッサは、さらに、コンテンツの利用に関する売上の分配額であって前記所定のコンテンツサービスの運営者を含む複数の関係者に対する分配額を設定する処理を実行し、
前記分配額を設定する処理は、前記特定のユーザが利用した特定のコンテンツが、前記第１の画面を介した前記第２の要求の受付に応じて前記特定のユーザの前記所定のリストに追加されているコンテンツでない場合と比較して、前記第１の画面を介した前記第２の要求の受付に応じて前記特定のユーザの前記所定のリストに追加されているコンテンツである場合の方が、前記特定のユーザによる前記特定のコンテンツの利用に関する売上の前記運営者に対する分配額を大きく設定することを含む、
請求項１ないし３何れかのシステム。
【請求項５】
前記第２のコンテンツを前記所定のリストに追加する処理は、前記第２のコンテンツの利用に関する所定の報酬を前記特定のユーザに対して付与することを含む、
請求項１ないし４何れかのシステム。
【請求項６】
前記所定の報酬は、前記第２のコンテンツが前記所定のリストに追加された時点を基準とする所定の期間に限定される前記第２のコンテンツの利用対価の割引を含む、
請求項５のシステム。
【請求項７】
前記第１の画面を提示する処理は、前記ユーザに関連付けられたユーザ情報に少なくとも基づいて、前記第２のコンテンツを紹介する第１の種類のサブコンテンツを再生するための前記第１の画面、又は、外部の広告配信サービスによって提供される第２の種類のサブコンテンツを再生するための第２の画面を選択的に前記特定のユーザに対して提示することを含み、
前記第１のコンテンツの利用制限を解除する処理は、前記第２の画面における前記第２の種類のサブコンテンツの再生の完了に応じて、前記特定のユーザに対する前記第１のコンテンツの利用制限を解除することを含む、
請求項１ないし６何れかのシステム。
【請求項８】
前記ユーザ情報は、前記第２の種類のサブコンテンツの再生に応じて増加する第１のパラメータを含み、
前記第１の画面を提示する処理は、前記特定のユーザの前記第１のパラメータの値が大きいほど、前記第１の画面を優先的に選択することを含む、
請求項７のシステム。
【請求項９】
前記ユーザ情報は、前記所定のサービスの利用に応じて増加する第２のパラメータを含み、
前記第１の画面を提示する処理は、前記特定のユーザの前記第２のパラメータの値が小さいほど、前記第１の画面を優先的に選択することを含む、
請求項７又は８のシステム。
【請求項１０】
１又は複数のコンピュータによって実行され、ユーザがコンテンツを利用するための所定のコンテンツサービスを提供するための方法であって、
前記所定のコンテンツサービスにおいて提供される複数のコンテンツに含まれる第１のコンテンツの利用制限を解除するための第１の要求を特定のユーザから受け付けるステップと、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示するステップと、
前記第２の要求の受付に応じて、前記第２のコンテンツを前記特定のユーザの前記所定のリストに追加するステップと、
前記第１の画面におけるサブコンテンツの再生の完了に応じて、前記特定のユーザに対する前記第１のコンテンツの利用制限を解除するステップと、を備える、
方法。
【請求項１１】
ユーザがコンテンツを利用するための所定のコンテンツサービスを提供するためのプログラムであって、
１又は複数のコンピュータ上で実行されることに応じて、前記１又は複数のコンピュータに、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行させる、
プログラム。
【発明の詳細な説明】
【技術分野】
【０００１】
本発明は、ユーザがコンテンツを利用するための所定のコンテンツサービスを提供するためのシステム、方法、及びプログラムに関するものである。
【背景技術】
【０００２】
従来、音楽、映像、又は電子書籍等のデジタルコンテンツを提供するコンテンツサービス（コンテンツプラットフォーム）において、現実の通貨又は仮想の通貨（コイン、ポイント等を含む。）等の消費を伴ってコンテンツを提供することに加えて、広告動画の視聴や広告対象のアプリケーション等のダウンロード等を条件にコンテンツを提供する（視聴制限を解除する）ことが行われている（例えば、下記特許文献１を参照）。こうした広告動画は、典型的には、広告代理店等が運営すると共に複数の広告主によって利用される広告配信サービス等を介して提供され、コンテンツサービスの運営者は、当該広告動画を導入することによって、一定の広告収入を得ることができる。
【先行技術文献】
【特許文献】
【０００３】
【特許文献１】特開２０１５−２０３９３５号公報
【発明の概要】
【発明が解決しようとする課題】
【０００４】
しかしながら、上述したような広告動画は、広告配信サービスを利用する広告主のアプリケーション等を宣伝するものであるから、ユーザが、コンテンツサービスから外部のサービスへと離脱してしまう契機となり得る。そこで、こうした動画等のサブコンテンツを用いて、コンテンツサービス内の様々なコンテンツをユーザに訴求し、当該サービス内でのユーザの回遊を促すような仕組みの実現が望まれる。
【０００５】
本発明の実施形態は、コンテンツサービス内でのユーザの回遊を促進することを目的の一つとする。本発明の実施形態の他の目的は、本明細書全体を参照することにより明らかとなる。
【課題を解決するための手段】
【０００６】
本発明の一実施形態に係るシステムは、１又は複数のコンピュータプロセッサを備え、ユーザがコンテンツを利用するための所定のコンテンツサービスを提供するためのシステムであって、前記１又は複数のコンピュータプロセッサは、読取可能な命令の実行に応じて、前記所定のコンテンツサービスにおいて提供される複数のコンテンツに含まれる第１のコンテンツの利用制限を解除するための第１の要求を特定のユーザから受け付ける処理と、前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、前記第２の要求の受付に応じて、前記第２のコンテンツを前記特定のユーザの前記所定のリストに追加する処理と、前記第１の画面におけるサブコンテンツの再生の完了に応じて、前記特定のユーザに対する前記第１のコンテンツの利用制限を解除する処理と、を実行する。
【０００７】
本発明の一実施形態に係る方法は、１又は複数のコンピュータによって実行され、ユーザがコンテンツを利用するための所定のコンテンツサービスを提供するための方法であって、前記所定のコンテンツサービスにおいて提供される複数のコンテンツに含まれる第１のコンテンツの利用制限を解除するための第１の要求を特定のユーザから受け付けるステップと、前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示するステップと、前記第２の要求の受付に応じて、前記第２のコンテンツを前記特定のユーザの前記所定のリストに追加するステップと、前記第１の画面におけるサブコンテンツの再生の完了に応じて、前記特定のユーザに対する前記第１のコンテンツの利用制限を解除するステップと、を備える。
【０００８】
本発明の一実施形態に係るプログラムは、ユーザがコンテンツを利用するための所定のコンテンツサービスを提供するためのプログラムであって、１又は複数のコンピュータ上で実行されることに応じて、前記１又は複数のコンピュータに、前記所定のコンテンツサービスにおいて提供される複数のコンテンツに含まれる第１のコンテンツの利用制限を解除するための第１の要求を特定のユーザから受け付ける処理と、前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、前記第２の要求の受付に応じて、前記第２のコンテンツを前記特定のユーザの前記所定のリストに追加する処理と、前記第１の画面におけるサブコンテンツの再生の完了に応じて、前記特定のユーザに対する前記第１のコンテンツの利用制限を解除する処理と、を実行させる。
【発明の効果】
【０００９】
本発明の様々な実施形態は、コンテンツサービス内でのユーザの回遊を促進する。
【図面の簡単な説明】
【００１０】
【図１】本発明の一実施形態に係るコンテンツサービス提供システム１０を含むネットワークの構成を概略的に示す構成図。
【図２】コンテンツサービス提供システム１０の機能を概略的に示すブロック図。
【図３】ユーザ情報テーブル４１１において管理される情報を例示する図。
【図４】コンテンツ情報テーブル４１２において管理される情報を例示する図。
【図５】サブコンテンツ情報テーブル４１３において管理される情報を例示する図。
【図６】トップ画面６０を例示する図。
【図７】作品情報表示画面７０を例示する図。
【図８】システム１０が実行する処理を例示するフロー図。
【図９】内部紹介動画再生画面８０を例示する図。
【図１０】内部紹介動画再生画面８０を例示する図。
【図１１】外部広告動画再生画面９０を例示する図。
【図１２】外部広告動画再生画面９０を例示する図。
【発明を実施するための形態】
【００１１】
以下、図面を参照しながら、本発明の実施形態について説明する。
【００１２】
図１は、本発明の一実施形態に係るコンテンツサービス提供システム１０を含むネットワークの構成を概略的に示す構成図である。システム１０は、図示するように、インターネット等の通信ネットワーク２０を介してユーザ端末３０と通信可能に接続されている。図１においては、１つのユーザ端末３０のみが図示されているが、システム１０は、複数のユーザ端末３０と通信可能に接続されている。コンテンツサービス提供システム１０は、電子書籍（漫画を含む。）、音楽、映像等のデジタルコンテンツを利用するためのコンテンツサービスを、ユーザ端末３０を介して提供する。コンテンツサービス提供システム１０は、本発明のシステムの一部又は全部を実装する装置の一例である。
【００１３】
コンテンツサービス提供システム１０は、一般的なコンピュータとして構成されており、図１に示すように、コンピュータプロセッサ１１と、メインメモリ１２と、入出力Ｉ／Ｆ１３と、通信Ｉ／Ｆ１４と、ストレージ（記憶装置）１５とを備え、これらの各構成要素が図示しないバス等を介して電気的に接続されている。
【００１４】
コンピュータプロセッサ１１は、ＣＰＵ又はＧＰＵ等として構成され、ストレージ１５等に記憶されている様々なプログラムをメインメモリ１２に読み込んで、当該プログラムに含まれる各種の命令を実行する。メインメモリ１２は、例えば、ＤＲＡＭ等によって構成される。
【００１５】
入出力Ｉ／Ｆ１３は、ユーザ等との間で情報をやり取りするための各種の入出力装置を含む。入出力Ｉ／Ｆ１３は、例えば、キーボード、ポインティングデバイス（例えば、マウス、タッチパネル等）等の情報入力装置、マイクロフォン等の音声入力装置、カメラ等の画像入力装置を含む。また、入出力Ｉ／Ｆ１３は、ディスプレイ等の画像出力装置、スピーカー等の音声出力装置を含む。
【００１６】
通信Ｉ／Ｆ１４は、ネットワークアダプタ等のハードウェア、各種の通信用ソフトウェア、及びこれらの組み合わせとして実装され、通信ネットワーク２０等を介した有線又は無線の通信を実現できるように構成されている。
【００１７】
ストレージ１５は、例えば磁気ディスク、フラッシュメモリ等によって構成される。ストレージ１５は、オペレーティングシステムを含む様々なプログラム、及び各種データ等を記憶する。
【００１８】
本実施形態において、コンテンツサービス提供システム１０は、それぞれが上述したハードウェア構成を有する複数のコンピュータを用いて構成され得る。例えば、システム１０は、１又は複数のサーバ装置によって構成され得る。
【００１９】
このように構成されたコンテンツサービス提供システム１０は、ウェブサーバ及びアプリケーションサーバとしての機能を有するように構成することができ、この場合、ユーザ端末３０にインストールされているウェブブラウザ又はその他のアプリケーション（例えば、コンテンツサービス用のアプリケーション）からの要求に応答して各種の処理を実行し、当該処理の結果に応じた画面データ（例えば、ＨＴＭＬデータ）及び制御データ等をユーザ端末３０に送信する。ユーザ端末３０では、受信したデータに基づくウェブページ又はその他の画面が表示され得る。
【００２０】
ユーザ端末３０は、一般的なコンピュータとして構成されており、図１に示すように、コンピュータプロセッサ３１と、メインメモリ３２と、入出力Ｉ／Ｆ３３と、通信Ｉ／Ｆ３４と、ストレージ（記憶装置）３５とを備え、これらの各構成要素が図示しないバス等を介して電気的に接続されている。
【００２１】
コンピュータプロセッサ３１は、ＣＰＵ又はＧＰＵ等として構成され、ストレージ３５等に記憶されている様々なプログラムをメインメモリ３２に読み込んで、当該プログラムに含まれる各種の命令を実行する。メインメモリ３２は、例えば、ＤＲＡＭ等によって構成される。
【００２２】
入出力Ｉ／Ｆ３３は、ユーザ等との間で情報をやり取りするための各種の入出力装置を含む。入出力Ｉ／Ｆ３３は、例えば、キーボード、ポインティングデバイス（例えば、マウス、タッチパネル等）等の情報入力装置、マイクロフォン等の音声入力装置、カメラ等の画像入力装置を含む。また、入出力Ｉ／Ｆ３３は、ディスプレイ等の画像出力装置、スピーカー等の音声出力装置を含む。
【００２３】
通信Ｉ／Ｆ３４は、ネットワークアダプタ等のハードウェア、各種の通信用ソフトウェア、及びこれらの組み合わせとして実装され、通信ネットワーク２０等を介した有線又は無線の通信を実現できるように構成されている。
【００２４】
ストレージ３５は、例えば磁気ディスク又はフラッシュメモリ等によって構成される。ストレージ３５は、オペレーティングシステムを含む様々なプログラム及び各種データ等を記憶する。ストレージ３５が記憶するプログラムは、アプリケーションマーケット等からダウンロードされてインストールされ得る。
【００２５】
本実施形態において、ユーザ端末３０は、スマートフォン、タブレット端末、ウェアラブルデバイス、パーソナルコンピュータ、及びゲーム専用端末等として構成され得る。
【００２６】
このように構成されたユーザ端末３０のユーザは、ストレージ３５等にインストールされているウェブブラウザ又はその他のアプリケーションを介したコンテンツサービス提供システム１０との通信を実行することによって、当該システム１０が提供するコンテンツサービスを利用することができる。
【００２７】
次に、本実施形態のコンテンツサービス提供システム１０が有する機能について説明する。図２は、システム１０が有する機能を概略的に示すブロック図である。システム１０は、図示するように、様々な情報を記憶及び管理する情報記憶管理部４１と、コンテンツサービスの基本機能を制御する基本機能制御部４３と、コンテンツの利用を制御するコンテンツ利用制御部４５と、コンテンツの利用制限を解除するために再生されるサブコンテンツの再生を制御するサブコンテンツ再生制御部４７とを有する。これらの機能は、コンピュータプロセッサ１１及びメインメモリ１２等のハードウェア、並びに、ストレージ１５等に記憶されている各種プログラムやデータ等が協働して動作することによって実現され、例えば、メインメモリ１２に読み込まれたプログラムに含まれる命令をコンピュータプロセッサ１１が実行することによって実現される。また、図２に示すシステム１０の機能の一部又は全部は、システム１０とユーザ端末３０とが協働することによって実現され、又は、ユーザ端末３０によって実現され得る。
【００２８】
コンテンツサービス提供システム１０の情報記憶管理部４１は、ストレージ１５等において様々な情報を記憶及び管理する。情報記憶管理部４１は、例えば、図２に示すように、コンテンツサービスのユーザに関する情報を管理するユーザ情報テーブル４１１と、コンテンツサービスにおいて提供される個別のコンテンツに関する情報を管理するコンテンツ情報テーブル４１２と、個別のサブコンテンツに関する情報を管理するサブコンテンツ情報テーブル４１３とを有するように構成され得る。
【００２９】
コンテンツサービス提供システム１０の基本機能制御部４３は、コンテンツサービスの基本機能の制御に関する様々な処理を実行する。例えば、基本機能制御部４３は、基本機能に関する様々な画面の画面データ又は制御データをユーザ端末３０に送信し、ユーザ端末３０で表示される当該画面を介したユーザによる操作入力に応答して様々な処理を実行し、当該処理の結果に応じた画面データ又は制御データをユーザ端末３０に送信する。基本機能制御部４３によって制御される基本機能は、例えば、ログイン処理（ユーザ認証）、課金制御、及び、ユーザ管理（例えば、ユーザ情報テーブル４１１の更新等）等を含む。
【００３０】
コンテンツサービス提供システム１０のコンテンツ利用制御部４５は、コンテンツの利用の制御に関する様々な処理を実行する。本実施形態において、コンテンツ利用制御部４５は、コンテンツサービスにおいて提供される複数のコンテンツに含まれる第１のコンテンツ（以下、「対象のコンテンツ」と言うことがある。）の利用制限を解除するための第１の要求（以下、「利用制限解除要求」と言うことがある。）をユーザから受け付けるように構成されている。例えば、コンテンツ利用制御部４５は、ユーザ端末３０において表示される画面を介して、ユーザによって選択されたコンテンツの利用制限解除要求を受け付けるように構成される。コンテンツの利用制限解除要求は、有償のコンテンツを利用するための要求と言うこともできる。本実施形態において、コンテンツの利用は、例えば、インターネットブラウザ又は専用のアプリケーションを介したコンテンツの閲覧、及び、コンテンツのユーザ端末３０等の情報端末へのダウンロード等を含む。つまり、コンテンツの利用制限解除要求は、コンテンツの閲覧制限の解除要求、及び、コンテンツのダウンロード制限の解除要求を含む。
【００３１】
コンテンツサービス提供システム１０のサブコンテンツ再生制御部４７は、サブコンテンツの再生の制御に関する様々な処理を実行する。本実施形態において、サブコンテンツ再生制御部４７は、コンテンツの利用制限解除要求の受付に応じて、コンテンツサービスにおいて提供される複数のコンテンツに含まれる第２のコンテンツ（以下、「紹介コンテンツ」と言うことがある。）を紹介するサブコンテンツを再生するための第１の画面をユーザに対して提示するように構成されている。当該第１の画面は、紹介コンテンツをユーザの所定のリストに追加するための第２の要求（以下、「リスト追加要求」と言うことがある。）を受付可能に構成されている。例えば、サブコンテンツ再生制御部４７は、コンテンツの利用制限解除要求を受け付けると、第１の画面の画面データ等を対応するユーザ端末３０に送信するように構成される。
【００３２】
また、サブコンテンツ再生制御部４７は、第１の画面を介したリスト追加要求の受付に応じて、当該第１の画面において再生されるサブコンテンツが紹介する紹介コンテンツを、ユーザの所定のリストに追加するように構成されている。所定のリストは、ユーザ毎に設けられるコンテンツのリストであって、例えば、お気に入りリスト、ブックマークリストと呼ばれるリストとして構成される。個別のユーザの所定のリストに関する情報は、例えば、ユーザ情報テーブル４１１において管理される。例えば、コンテンツ利用制御部４５は、ユーザからの要求に応じて、当該ユーザの所定のリストに含まれる１又は複数のコンテンツを当該ユーザに対して提示するように構成され得る。
【００３３】
また、コンテンツ利用制御部４５は、第１の画面におけるサブコンテンツの再生の完了に応じて、対応するユーザに対する対象のコンテンツの利用制限を解除するように構成されている。例えば、コンテンツ利用制御部４５は、サブコンテンツの再生が完了したときに、対象のコンテンツを、対応するユーザの購入済みリストに追加するように構成され、当該購入済みリストに含まれるコンテンツは、ユーザからの要求に応じてユーザ端末３０において出力（表示及び再生等）される。個別のユーザの購入済みリストに関する情報は、例えば、ユーザ情報テーブル４１１において管理される。また、本実施形態において、サブコンテンツの再生の完了は、映像及び／又は音声を含むサブコンテンツの全再生期間における所定の期間（例えば、全再生期間の全部又は一部）の再生の完了が含まれ得る。
【００３４】
このように、本実施形態におけるコンテンツサービス提供システム１０は、コンテンツサービスにおいて提供される対象のコンテンツの利用制限を解除するための要求を受け付けると、同じくコンテンツサービスにおいて提供される紹介コンテンツを紹介するサブコンテンツを再生するための画面をユーザに提示すると共に、当該サブコンテンツの再生の完了に応じて対象のコンテンツの利用制限を解除し、さらに、サブコンテンツを再生するための画面が、紹介コンテンツの所定のリストへの追加要求が受付可能となるように構成されている。したがって、ユーザは、対象のコンテンツの利用制限を解除するためのサブコンテンツの視聴に伴って、当該サブコンテンツが紹介する紹介コンテンツを所定のリストへ追加することが可能となる。このように、システム１０は、コンテンツサービス内でのユーザの回遊を促進する。
【００３５】
本実施形態において、コンテンツ利用制御部４５は、サブコンテンツの再生の完了に応じて対象のコンテンツの利用制限を解除することに加えて、上記第１の画面を介した紹介コンテンツの所定のリストへの追加に応じて、対象のコンテンツの利用制限を解除するように構成され得る。こうした構成は、サブコンテンツの再生の完了を待つことなく対象のコンテンツの利用制限が解除されるから、紹介コンテンツの所定のリストへの追加が促進される。
【００３６】
また、サブコンテンツ再生制御部４７は、サブコンテンツを再生する第１の画面を提示する際に、複数のサブコンテンツの中から、当該第１の画面において再生するサブコンテンツを選択するように構成され得る。この場合、例えば、対象のコンテンツと提供者が同一である紹介コンテンツを紹介するサブコンテンツが、再生するサブコンテンツとして選択され得る。例えば、コンテンツの提供者に関する情報は、コンテンツ情報テーブル４１２において管理され、また、サブコンテンツが紹介するコンテンツに関する情報は、サブコンテンツ情報テーブル４１３において管理される。例えば、サブコンテンツ再生制御部４７は、対象のコンテンツと提供者が同一である紹介コンテンツを紹介する１又は複数のサブコンテンツを、コンテンツ情報テーブル４１２及びサブコンテンツ情報テーブル４１３を参照することによって特定し、特定した１又は複数のサブコンテンツに含まれる１のサブコンテンツを、再生するサブコンテンツとして選択するように構成される。こうした構成は、対象のコンテンツと提供者が同一であるコンテンツのサブコンテンツを介した紹介が可能となる。
【００３７】
また、基本機能制御部４３は、コンテンツの利用に関する売上の分配額であって、コンテンツサービスの運営者を含む複数の関係者に対する分配額を設定するように構成され得る。この場合、基本機能制御部４３は、特定のユーザが利用した特定のコンテンツが、第１の画面を介して所定のリストへ追加されているコンテンツでない場合と比較して、第１の画面を介して所定のリストへ追加されているコンテンツである場合の方が、当該特定のユーザによる当該特定のコンテンツの利用に関する売上の、コンテンツサービスの運営者に対する分配額を大きく設定するように構成され得る。例えば、特定のユーザが利用した特定のコンテンツが、第１の画面を介して所定のリストに追加されていない場合には、当該特定のコンテンツの利用対価の３％に相当する金額が運営者に対する分配額として設定される一方、第１の画面を介して所定のリストに追加されている場合には、当該特定のコンテンツの利用対価の５％に相当する金額が運営者に対する分配額として設定される。こうした構成は、サブコンテンツを再生する画面を介した所定のリストへの追加の有無に応じた運営者に対する分配額の設定を可能とする。
【００３８】
また、サブコンテンツ再生制御部４７は、紹介コンテンツを所定のリストに追加する際に、当該紹介コンテンツの利用に関する所定の報酬を、対応するユーザに対して付与するように構成され得る。所定の報酬は、例えば、当該紹介コンテンツを利用する際の利用対価の割引を含み、当該割引は、当該紹介コンテンツが所定のリストに追加された時点を基準とする所定の期間（例えば、所定のリストに追加されてから２４時間等）に限定して適用され得る。こうした構成は、紹介コンテンツの所定のリストへの追加、及び、その後の当該紹介コンテンツの利用が促進される。
【００３９】
本実施形態において、対象のコンテンツの利用制限を解除するために再生されるサブコンテンツとして、コンテンツサービスにおいて提供される紹介コンテンツを紹介する第１の種類のサブコンテンツ（以下、「内部サブコンテンツ」と言うことがある。）に加えて、外部の広告配信サービスによって提供される第２の種類のサブコンテンツ（以下、「外部サブコンテンツ」と言うことがある。）を適用しても良い。例えば、サブコンテンツ再生制御部４７は、ユーザに関連付けられたユーザ情報に少なくとも基づいて、コンテンツサービスにおいて提供される紹介コンテンツを紹介する内部サブコンテンツを再生するための上記第１の画面、又は、外部の広告配信サービスによって提供される外部サブコンテンツを再生するための第２の画面を選択的に提示するように構成され得る。第１及び第２の画面は、同一又は類似の画面構成を有する画面として構成され得る。この場合、コンテンツ利用制御部４５は、紹介コンテンツを紹介する内部サブコンテンツと同様に、外部の広告配信サービスによって提供される外部サブコンテンツの再生の完了に応じて、対応するユーザに対する対象のコンテンツの利用制限を解除するように構成される。こうした構成は、ユーザ毎に適切な種類のサブコンテンツの再生が可能となる。
【００４０】
例えば、コンテンツ利用制御部４５は、外部サブコンテンツの再生に応じて増加する第１のパラメータの値が大きいほど（つまり、外部サブコンテンツを再生しているほど）、内部サブコンテンツを再生するための第１の画面を優先的に選択するように構成され得る。こうした構成は、広告配信サービスが提供する外部サブコンテンツに飽きているユーザに対して、内部サブコンテンツを介したコンテンツサービス内のコンテンツの適切な紹介が可能となる。
【００４１】
また、例えば、コンテンツ利用制御部４５は、コンテンツサービスの利用に応じて増加する第２のパラメータの値が小さいほど（つまり、コンテンツサービスを利用していないほど）、内部サブコンテンツを再生するための第１の画面を優先的に選択するように構成され得る。こうした構成は、コンテンツサービス自体の利用が少ない新規ユーザに対して、内部サブコンテンツを介したコンテンツサービス内のコンテンツの適切な紹介が可能となる。
【００４２】
次に、このような機能を有する本実施形態のコンテンツサービス提供システム１０の具体例について説明する。この具体例におけるシステム１０は、コンテンツとして漫画（電子書籍）を利用するための漫画閲覧サービスを提供するように構成されている。
【００４３】
図３は、この例において、ユーザ情報テーブル４１１において管理される情報を例示する。ユーザ情報テーブル４１１は、漫画閲覧サービスのユーザに関する情報を管理し、図示するように、個別のユーザを識別する「ユーザアカウント」に対応付けて、アカウント名、年齢、性別等のユーザの基本的な情報である「基本情報」、ユーザがこれまでにログインした回数を示す「ログイン回数」（第１のパラメータ）、所定の期間において（例えば、１日の期間において）漫画閲覧サービス内の漫画作品を紹介するミニ動画（サブコンテンツ）を再生した回数である「内部紹介動画再生回数」、同じく所定の期間において外部の広告配信サービスが提供するミニ動画を再生した回数である「外部広告動画再生回数」（第２のパラメータ）、「コイン数」、「お気に入りリスト情報」、「購入済みリスト情報」等の情報を管理する。
【００４４】
コイン数は、ユーザによるコインの入手及び消費に応じて更新される。この例におけるコインは、漫画閲覧サービスにおいて利用可能な電子的及び仮想的なアイテムである。ユーザは、有償又は無償で、様々なタイミングにおいてコインを入手することができる。お気に入りリスト情報は、当該リストに含まれる漫画作品を識別可能な情報を含む。購入済みリスト情報は、当該リストに含まれる漫画作品の購入単位（特定の「話」又は「巻」）を識別可能な情報を含む。
【００４５】
図４は、この例において、コンテンツ情報テーブル４１２において管理される情報を例示する。コンテンツ情報テーブル４１２は、この例の漫画閲覧サービスにおいて提供される漫画作品に関する情報を管理し、図示するように、個別の漫画作品を識別する「作品ＩＤ」に対応付けて、「作品名」、作者を識別する「作者ＩＤ」、出版社（提供者）を識別する「出版社ＩＤ」、作品を構成する「巻」単位の情報である「巻単位情報」、作品を構成する「話」単位の情報である「話単位情報」等の情報を管理する。巻単位情報及び話単位情報は、それぞれ、コンテンツ情報テーブル４１２とは別のテーブルにおいて管理され得る。なお、漫画作品の内容自体に対応する画像ファイルは、例えば、ストレージ１５又は他のサーバ等の記憶装置において管理される。
【００４６】
図５は、この例において、サブコンテンツ情報テーブル４１３において管理される情報を例示する。サブコンテンツ情報テーブル４１３は、この例の漫画閲覧サービスにおいて提供される漫画作品を紹介するミニ動画である内部紹介動画に関する情報を管理し、図示するように、個別の内部紹介動画を識別する「内部紹介動画ＩＤ」に対応付けて、このミニ動画が紹介する漫画作品を識別する「作品ＩＤ」等の情報を管理する。なお、ミニ動画の内容自体に対応する動画ファイルは、例えば、ストレージ１５又は他のサーバ等の記憶装置において管理される。
【００４７】
図６は、ユーザ端末３０において表示される、この例の漫画閲覧サービスのトップ画面６０を例示する。当該画面６０は、漫画閲覧サービスを利用する際の起点となる画面である。トップ画面６０は、図示するように、画面上端に位置するメニュー領域６２と、当該領域６２の下側に位置し、複数の漫画作品を一覧表示する一覧表示領域６４と、当該領域６４の右下隅に重ねて配置されているお気に入り閲覧ボタン６６とを有する。
【００４８】
メニュー領域６２には、家の外観を有するホームボタン６２１と、ショッピングカートの外観を有するストアボタン６２２と、ルーペ（虫眼鏡）の外観を有する検索ボタン６２３とが配置されている。ホームボタン６２１は、このトップ画面６０を表示するためのオブジェクトである。ストアボタン６２２は、漫画作品を巻単位で販売する販売サイトに移動するためのオブジェクトである。検索ボタン６２３は、漫画作品を検索するためのオブジェクトである。
【００４９】
一覧表示領域６４は、各々が個別の漫画作品に関する情報（画像及び作品名等）を表示する複数の個別表示領域６４１が２列で縦方向に並べて配置されている。当該領域６４は、上下方向へのフリック／スライド操作等によって、表示される個別表示領域６４１が切り替わるように構成されている。初期状態において、一覧表示領域６４は、複数のお薦めの漫画作品を一覧表示する。
【００５０】
お気に入り閲覧ボタン６６は、ユーザのお気に入りリストに含まれる漫画作品を閲覧するためのオブジェクトである。お気に入り閲覧ボタン６６が選択されると、一覧表示領域６４において、ユーザのお気に入りリストに含まれる漫画作品が一覧表示される。
【００５１】
一覧表示領域６４に含まれる個別表示領域６４１の何れかが選択されると、図７に例示する作品情報表示画面７０が表示される。当該画面７０は、選択された個別表示領域６４１に対応する漫画作品に関する情報を表示し、図示するように、漫画作品の基本情報を表示する基本情報表示領域７２と、漫画作品に含まれる複数の「話」に関する情報を一覧表示する話情報一覧表示領域７４とを有する。
【００５２】
基本情報表示領域７２は、漫画作品の基本情報（画像、作品名、及び作者等）を表示する。また、当該領域７２の右下隅には、ハート形状のお気に入り登録ボタン７２１が配置されている。当該ボタン７２１が選択されると、この漫画作品がユーザのお気に入りリストに追加され、具体的には、ユーザ情報テーブル４１１のお気に入りリスト情報において、この漫画作品の作品ＩＤが設定される。
【００５３】
話情報一覧表示領域７４は、各々が個別の「話」に関する情報（話番号及びタイトル等）を表示する複数の個別表示領域７４１が縦方向に並べて配置されている。当該領域７４は、上下方向へのフリック／スライド操作等によって、表示される個別表示領域７４１が切り替わるように構成されている。
【００５４】
この例において、漫画作品を構成する各話の一部は、無料で（コインの消費なしで）閲覧可能な話として構成されており、この場合、個別表示領域７４１において「無料で読む」と表示された第１ボタン７４１１が配置される（図７の個別表示領域７４１Ａを参照）。第１ボタン７４１１が選択されると、対応する漫画作品（話）の画像が表示される。
【００５５】
また、漫画作品を構成する各話の一部は、コインの消費を伴って、又は、ミニ動画を視聴することによって購入可能な話として構成されており、購入済みの話である場合、個別表示領域７４１において「読む」と表示された第２ボタン７４１２が配置される（図７の個別表示領域７４１Ｂを参照）。第２ボタン７４１２が選択されると、対応する漫画作品（話）の画像が表示される。
【００５６】
一方、未購入の話である場合、個別表示領域７４１において「コインで読む」と表示された第３ボタン７４１３、及び、「ＣＭを見て読む」と表示された第４ボタン７４１４が配置される（図７の個別表示領域７４１Ｃを参照）。第３ボタン７４１３が選択されると、所定数のコインの消費を確認するための画面が表示され、当該画面を介したユーザによる確認入力を介して、対象の漫画作品（話）の画像が表示される。つまり、第３ボタン７４１３は、所定数のコインの消費によって、漫画作品（話）の閲覧制限を解除するためのオブジェクトであると言える。
【００５７】
第４ボタン７４１４は、ミニ動画の視聴によって漫画作品（話）の閲覧制限を解除するためのオブジェクトである。図８は、第４ボタン７４１４の選択に応じて、システム１０が実行する処理を例示するフロー図である。システム１０は、まず、図示するように、ユーザ情報に基づいて、再生するミニ動画の種類（内部紹介動画、及び、外部の広告配信サービスが提供する外部広告動画の何れか）を選択する（ステップＳ１００）。具体的には、この例では、これまでのログイン回数が所定値（例えば、３回）以内の新規ユーザである場合、漫画閲覧サービス内の漫画作品を紹介する内部紹介動画が選択される。また、所定の期間（例えば、当日）における外部広告動画の再生回数が所定値（例えば、１０回）以上のユーザである場合もまた、同じく内部紹介動画が選択される。そして、これらの条件に適合しないその他のユーザである場合、この例では、外部広告動画が選択される。しかしながら、こうしたミニ動画の種類を選択するためのルールは例示であって、本実施形態の他の例では、別のルール（例えば、ランダムに選択するルール等）が適用され得る。
【００５８】
そして、選択されたミニ動画の種類が内部紹介動画である場合（ステップＳ１１０においてＹＥＳ）、システム１０は、対象の漫画作品（作品情報表示画面７０において表示されている作品）と出版社が同一である他の漫画作品を紹介する内部紹介動画の再生を開始する（ステップＳ１２０）。こうした内部紹介動画は、コンテンツ情報テーブル４１２の出版社ＩＤ及びサブコンテンツ情報テーブル４１３の作品ＩＤ等を参照することによって特定される。また、対象の漫画作品と出版社が同一である他の漫画作品を紹介する内部紹介動画が複数存在する場合には、所定のルールで（例えば、ランダムに）選択された内部紹介動画の再生が開始される。
【００５９】
内部紹介動画の再生は、具体的には、ユーザ端末３０において表示される図９に例示する内部紹介動画再生画面８０を介して行われる。当該画面８０は、図示するように、内部紹介動画を再生するための動画再生領域８２と、当該領域８２の下側に位置しハート型の図形が表示されたお気に入り登録ボタン８４とを有する。
【００６０】
お気に入り登録ボタン８４は、内部紹介動画が紹介する漫画作品をユーザのお気に入りリストに追加するためのボタンである。お気に入り登録ボタン８４が選択されると、対応する漫画作品がユーザのお気に入りリストに追加され、具体的には、ユーザ情報テーブル４１１のお気に入りリスト情報において、対応する漫画作品の作品ＩＤが設定される。なお、内部紹介動画が紹介する漫画作品は、サブコンテンツ情報テーブル４１３の作品ＩＤを参照することによって特定される。
【００６１】
この例では、内部紹介動画再生画面８０が表示されると、内部紹介動画の再生が直ちに開始され、また、お気に入り登録ボタン８４は、内部紹介動画再生画面８０が表示されている間、いつでも選択可能であるように構成されている。つまり、この例の内部紹介動画再生画面８０は、内部紹介動画の再生の完了状態にかかわらず（例えば、内部紹介動画の再生を開始した直後にも）、当該内部紹介動画が紹介する漫画作品をお気に入りリストに追加できるように構成されている。
【００６２】
図８のフロー図に戻り、内部紹介動画の再生が開始されると、次に、システム１０は、内部紹介動画の再生が完了し、又は、当該内部紹介動画が紹介する漫画作品のお気に入りリストへの追加が完了するのを待機する（ステップＳ１３０においてＮＯ）。
【００６３】
そして、内部紹介動画の再生、又は、紹介する漫画作品のお気に入りリストへの追加が完了すると（ステップＳ１３０においてＹＥＳ）、システム１０は、対象の漫画作品の閲覧制限を解除する（ステップＳ１４０）。具体的には、対象の漫画作品（話）がユーザの購入済みリストに追加されて、当該ユーザによる当該漫画作品（話）の閲覧が可能となる。
【００６４】
図１０は、内部紹介動画の再生が完了し、又は、当該内部紹介動画が紹介する漫画作品のお気に入りリストへの追加が完了した状態の内部紹介動画再生画面８０を例示する。この状態の画面８０は、図示するように、当該画面８０を閉じるための終了ボタン８２１が、動画再生領域８２の右上隅に配置される。当該終了ボタン８２１が選択されて内部紹介動画再生画面８０が閉じられると、対象の漫画作品（話）の画像が表示される。
【００６５】
図８のフロー図に戻り、一方、ステップＳ１００において選択されたミニ動画の種類が外部広告動画である場合（ステップＳ１１０においてＮＯ）、システム１０は、外部の広告配信サービスから提供される外部広告動画の再生を開始する（ステップＳ１５０）。
【００６６】
外部広告動画の再生は、具体的には、ユーザ端末３０において表示される図１１に例示する外部広告動画再生画面９０を介して行われる。当該画面９０は、図示するように、外部広告動画を再生するための動画再生領域９２を有する。この例では、外部広告動画再生画面９０が表示されると、外部広告動画の再生が直ちに開始される。
【００６７】
図８のフロー図に戻り、外部広告動画の再生が開始されると、次に、システム１０は、外部広告動画の再生が完了するのを待機する（ステップＳ１６０においてＮＯ）。そして、外部広告動画の再生が完了すると（ステップＳ１５０においてＹＥＳ）、システム１０は、対象の漫画作品の閲覧制限を解除する（ステップＳ１４０）。具体的には、対象の漫画作品（話）がユーザの購入済みリストに追加されて、当該ユーザによる当該漫画作品（話）の閲覧が可能となる。
【００６８】
図１２は、外部広告動画の再生が完了した状態の外部広告動画再生画面９０を例示する。この状態の外部広告動画再生画面９０は、図示するように、当該画面９０を閉じるための終了ボタン９２１が動画再生領域９２の右上隅に配置されており、また、「インストール」と表示されたインストールボタン９２２が動画再生領域９２の下端に配置されている。インストールボタン９２２は、再生された外部広告動画に対応するアプリケーション（例えば、当該広告動画が宣伝するサービスを利用するためのアプリケーション等）をインストールするためのオブジェクトである。当該ボタン９２２が選択されると、対応するアプリケーションをインストールするための画面（例えば、アプリケーションマーケットの対応するページを表示する画面等）が表示される。当該画面を介したアプリケーションのインストールが完了すると、再度、外部広告動画再生画面９０が表示される。そして、当該アプリケーションのインストールの有無にかかわらず、終了ボタン９２１が選択されて外部広告動画再生画面９０が閉じられると、対象の漫画作品（話）の画像が表示される。
【００６９】
この例では、コインの消費を伴って又はミニ動画を視聴することによって購入可能な「話」の閲覧実績及び販売サイトでの「巻」の販売実績等に基づいて、漫画作品を提供する出版社、及び、漫画閲覧サービスの運営者に対する売上（例えば、コインの売上等が含まれる。）の分配額が設定される。この際、特定のユーザによって内部紹介動画再生画面８０を介してお気に入りリストに追加されている漫画作品の当該特定のユーザによる閲覧及び販売実績に基づく売上の分配額は、その他の漫画作品の閲覧及び販売実績に基づく売上の分配額と比較して、漫画閲覧サービスの運営者の分配額が大きくなる（つまり、出版社の分配額が小さくなる）。この場合、お気に入りリストに追加されている漫画作品が内部紹介動画再生画面８０を介しているか否かを特定するための情報は、例えば、ユーザ情報テーブル４１２のお気に入りリスト情報の一部として管理される。
【００７０】
また、内部紹介動画再生画面８０を介してお気に入りリストに追加されている漫画作品の売上の運営者に対する分配額を大きくすることに代えて、又は、これに加えて、内部紹介動画再生画面８０を介して再生を完了した内部紹介動画が紹介する漫画作品（お気に入りリストへの追加の有無は問わない。）の売上の運営者に対する分配額を大きくするようにしても良い。この場合、ユーザ情報テーブル４１２等において、各ユーザの内部紹介動画の再生履歴が管理される。
【００７１】
上述した例において、内部紹介動画再生画面８０のお気に入り登録ボタン８４が選択されて、内部紹介動画が紹介する漫画作品がお気に入りリストに追加された場合に、当該漫画作品の「巻」を購入する際に利用可能な割引チケットをユーザに対して付与するようにしても良い。当該割引チケットの保有状況は、ユーザ情報テーブル４１１において管理され得る。割引チケットは、例えば、トップ画面６０のストアボタン６２１の選択によって移動可能な漫画作品（巻）の販売サイトにおいて、対応する漫画作品（巻）を購入する際に利用される。なお、当該割引チケットに対して有効期限（例えば、対応する漫画作品がお気に入りリストに追加されてから２４時間以内等）を設定しても良い。
【００７２】
以上説明した本実施形態のコンテンツサービス提供システム１０は、コンテンツサービス（例えば、漫画閲覧サービス）において提供される対象のコンテンツ（例えば、漫画作品）の利用制限を解除するための要求を受け付けると、同じくコンテンツサービスにおいて提供される紹介コンテンツを紹介するサブコンテンツ（例えば、ミニ動画）を再生するための画面をユーザに提示すると共に、当該サブコンテンツの再生の完了に応じて対象のコンテンツの利用制限を解除し、さらに、サブコンテンツを再生するための画面が、紹介コンテンツの所定のリスト（例えば、お気に入りリスト）への追加要求が受付可能となるように構成されている。したがって、ユーザは、対象のコンテンツの利用制限を解除するためのサブコンテンツの視聴に伴って、当該サブコンテンツが紹介する紹介コンテンツを所定のリストへ追加することが可能となる。このように、システム１０は、コンテンツサービス内でのユーザの回遊を促進する。
【００７３】
本明細書で説明された処理及び手順は、明示的に説明されたもの以外にも、ソフトウェア、ハードウェアまたはこれらの任意の組み合わせによって実現される。例えば、本明細書で説明される処理及び手順は、集積回路、揮発性メモリ、不揮発性メモリ、磁気ディスク等の媒体に、当該処理及び手順に相当するロジックを実装することによって実現される。また、本明細書で説明された処理及び手順は、当該処理・手順に相当するコンピュータプログラムとして実装し、各種のコンピュータに実行させることが可能である。
【００７４】
本明細書中で説明された処理及び手順が単一の装置、ソフトウェア、コンポーネント、モジュールによって実行される旨が説明されたとしても、そのような処理または手順は複数の装置、複数のソフトウェア、複数のコンポーネント、及び／又は複数のモジュールによって実行され得る。また、本明細書において説明されたソフトウェアおよびハードウェアの要素は、それらをより少ない構成要素に統合して、またはより多い構成要素に分解することによって実現することも可能である。
【００７５】
本明細書において、発明の構成要素が単数もしくは複数のいずれか一方として説明された場合、又は、単数もしくは複数のいずれとも限定せずに説明された場合であっても、文脈上別に解すべき場合を除き、当該構成要素は単数又は複数のいずれであってもよい。
【符号の説明】
【００７６】
１０  コンテンツサービス提供システム
１１  コンピュータプロセッサ
１５  ストレージ（記憶装置）
２０  通信ネットワーク
３０  ユーザ端末
４１  情報記憶管理部
４３  基本機能制御部
４５  コンテンツ利用制御部
４７  サブコンテンツ再生制御部
６０  トップ画面
７０  作品情報表示画面
８０  内部紹介動画再生画面
９０  外部広告動画再生画面
【図１】
2020042733.tif 000003
【図２】
2020042733.tif 000004
【図３】
2020042733.tif 000005
【図４】
2020042733.tif 000006
【図５】
2020042733.tif 000007
【図６】
2020042733.tif 000008
【図７】
2020042733.tif 000009
【図８】
2020042733.tif 000010
【図９】
2020042733.tif 000011
【図１０】
2020042733.tif 000012
【図１１】
2020042733.tif 000013
【図１２】
2020042733.tif 000014
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
１又は複数のコンピュータプロセッサを備え、ユーザがコンテンツを利用するための所定のコンテンツサービスを提供するためのシステムであって、
前記１又は複数のコンピュータプロセッサは、読取可能な命令の実行に応じて、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行し、
前記第１のコンテンツの利用制限を解除する処理は、前記第２のコンテンツの前記特定のユーザの前記所定のリストへの追加に応じて、前記第１のコンテンツの利用制限を解除することを含む、
システム。
【請求項２】
１又は複数のコンピュータプロセッサを備え、ユーザがコンテンツを利用するための所定のコンテンツサービスを提供するためのシステムであって、
前記１又は複数のコンピュータプロセッサは、読取可能な命令の実行に応じて、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行し、
前記１又は複数のコンピュータプロセッサは、さらに、コンテンツの利用に関する売上の分配額であって前記所定のコンテンツサービスの運営者を含む複数の関係者に対する分配額を設定する処理を実行し、
前記分配額を設定する処理は、前記特定のユーザが利用した特定のコンテンツが、前記第１の画面を介した前記第２の要求の受付に応じて前記特定のユーザの前記所定のリストに追加されているコンテンツでない場合と比較して、前記第１の画面を介した前記第２の要求の受付に応じて前記特定のユーザの前記所定のリストに追加されているコンテンツである場合の方が、前記特定のユーザによる前記特定のコンテンツの利用に関する売上の前記運営者に対する分配額を大きく設定することを含む、
システム。
【請求項３】
１又は複数のコンピュータプロセッサを備え、ユーザがコンテンツを利用するための所定のコンテンツサービスを提供するためのシステムであって、
前記１又は複数のコンピュータプロセッサは、読取可能な命令の実行に応じて、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行し、
前記第１の画面を提示する処理は、前記ユーザに関連付けられたユーザ情報に少なくとも基づいて、前記第２のコンテンツを紹介する第１の種類のサブコンテンツを再生するための前記第１の画面、又は、外部の広告配信サービスによって提供される第２の種類のサブコンテンツを再生するための第２の画面を選択的に前記特定のユーザに対して提示することを含み、
前記第１のコンテンツの利用制限を解除する処理は、前記第２の画面における前記第２の種類のサブコンテンツの再生の完了に応じて、前記特定のユーザに対する前記第１のコンテンツの利用制限を解除することを含む、
システム。
【請求項４】
前記ユーザ情報は、前記第２の種類のサブコンテンツの再生に応じて増加する第１のパラメータを含み、
前記第１の画面を提示する処理は、前記特定のユーザの前記第１のパラメータの値が大きいほど、前記第１の画面を優先的に選択することを含む、
請求項３のシステム。
【請求項５】
前記ユーザ情報は、前記所定のサービスの利用に応じて増加する第２のパラメータを含み、
前記第１の画面を提示する処理は、前記特定のユーザの前記第２のパラメータの値が小さいほど、前記第１の画面を優先的に選択することを含む、
請求項３又は４のシステム。
【請求項６】
前記第１の画面を提示する処理は、複数のサブコンテンツの中から、前記第１のコンテンツと提供者が同一である前記第２のコンテンツを紹介するサブコンテンツを、前記第１の画面において再生するサブコンテンツとして選択することを含む、
請求項１ないし５何れかのシステム。
【請求項７】
前記第２のコンテンツを前記所定のリストに追加する処理は、前記第２のコンテンツの利用に関する所定の報酬を前記特定のユーザに対して付与することを含む、
請求項１ないし６何れかのシステム。
【請求項８】
前記所定の報酬は、前記第２のコンテンツが前記所定のリストに追加された時点を基準とする所定の期間に限定される前記第２のコンテンツの利用対価の割引を含む、
請求項７のシステム。
【請求項９】
１又は複数のコンピュータによって実行され、ユーザがコンテンツを利用するための所定のコンテンツサービスを提供するための方法であって、
前記所定のコンテンツサービスにおいて提供される複数のコンテンツに含まれる第１のコンテンツの利用制限を解除するための第１の要求を特定のユーザから受け付けるステップと、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示するステップと、
前記第２の要求の受付に応じて、前記第２のコンテンツを前記特定のユーザの前記所定のリストに追加するステップと、
前記第１の画面におけるサブコンテンツの再生の完了に応じて、前記特定のユーザに対する前記第１のコンテンツの利用制限を解除するステップと、を備え、
前記第１のコンテンツの利用制限を解除するステップは、前記第２のコンテンツの前記特定のユーザの前記所定のリストへの追加に応じて、前記第１のコンテンツの利用制限を解除することを含む、
方法。
【請求項１０】
１又は複数のコンピュータによって実行され、ユーザがコンテンツを利用するための所定のコンテンツサービスを提供するための方法であって、
前記所定のコンテンツサービスにおいて提供される複数のコンテンツに含まれる第１のコンテンツの利用制限を解除するための第１の要求を特定のユーザから受け付けるステップと、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示するステップと、
前記第２の要求の受付に応じて、前記第２のコンテンツを前記特定のユーザの前記所定のリストに追加するステップと、
前記第１の画面におけるサブコンテンツの再生の完了に応じて、前記特定のユーザに対する前記第１のコンテンツの利用制限を解除するステップと、を備え、
前記方法は、さらに、コンテンツの利用に関する売上の分配額であって前記所定のコンテンツサービスの運営者を含む複数の関係者に対する分配額を設定するステップを備え、
前記分配額を設定するステップは、前記特定のユーザが利用した特定のコンテンツが、前記第１の画面を介した前記第２の要求の受付に応じて前記特定のユーザの前記所定のリストに追加されているコンテンツでない場合と比較して、前記第１の画面を介した前記第２の要求の受付に応じて前記特定のユーザの前記所定のリストに追加されているコンテンツである場合の方が、前記特定のユーザによる前記特定のコンテンツの利用に関する売上の前記運営者に対する分配額を大きく設定することを含む、
方法。
【請求項１１】
１又は複数のコンピュータによって実行され、ユーザがコンテンツを利用するための所定のコンテンツサービスを提供するための方法であって、
前記所定のコンテンツサービスにおいて提供される複数のコンテンツに含まれる第１のコンテンツの利用制限を解除するための第１の要求を特定のユーザから受け付けるステップと、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示するステップと、
前記第２の要求の受付に応じて、前記第２のコンテンツを前記特定のユーザの前記所定のリストに追加するステップと、
前記第１の画面におけるサブコンテンツの再生の完了に応じて、前記特定のユーザに対する前記第１のコンテンツの利用制限を解除するステップと、を備え、
前記第１の画面を提示するステップは、前記ユーザに関連付けられたユーザ情報に少なくとも基づいて、前記第２のコンテンツを紹介する第１の種類のサブコンテンツを再生するための前記第１の画面、又は、外部の広告配信サービスによって提供される第２の種類のサブコンテンツを再生するための第２の画面を選択的に前記特定のユーザに対して提示することを含み、
前記第１のコンテンツの利用制限を解除するステップは、前記第２の画面における前記第２の種類のサブコンテンツの再生の完了に応じて、前記特定のユーザに対する前記第１のコンテンツの利用制限を解除することを含む、
方法。
【請求項１２】
ユーザがコンテンツを利用するための所定のコンテンツサービスを提供するためのプログラムであって、
１又は複数のコンピュータ上で実行されることに応じて、前記１又は複数のコンピュータに、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行させ、
前記第１のコンテンツの利用制限を解除する処理は、前記第２のコンテンツの前記特定のユーザの前記所定のリストへの追加に応じて、前記第１のコンテンツの利用制限を解除することを含む、
プログラム。
【請求項１３】
ユーザがコンテンツを利用するための所定のコンテンツサービスを提供するためのプログラムであって、
１又は複数のコンピュータ上で実行されることに応じて、前記１又は複数のコンピュータに、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行させ、
前記１又は複数のコンピュータに、さらに、コンテンツの利用に関する売上の分配額であって前記所定のコンテンツサービスの運営者を含む複数の関係者に対する分配額を設定する処理を実行させ、
前記分配額を設定する処理は、前記特定のユーザが利用した特定のコンテンツが、前記第１の画面を介した前記第２の要求の受付に応じて前記特定のユーザの前記所定のリストに追加されているコンテンツでない場合と比較して、前記第１の画面を介した前記第２の要求の受付に応じて前記特定のユーザの前記所定のリストに追加されているコンテンツである場合の方が、前記特定のユーザによる前記特定のコンテンツの利用に関する売上の前記運営者に対する分配額を大きく設定することを含む、
プログラム。
【請求項１４】
ユーザがコンテンツを利用するための所定のコンテンツサービスを提供するためのプログラムであって、
１又は複数のコンピュータ上で実行されることに応じて、前記１又は複数のコンピュータに、
前記所定のコンテンツサービスにおいて提供される複数のコンテンツに含まれる第１のコンテンツの利用制限を解除するための第１の要求を特定のユーザから受け付ける処理と、
前記第１の要求の受付に応じて、前記所定のコンテンツサービスにおいて提供される複数のコンテンツに含まれる第２のコンテンツを紹介するサブコンテンツを再生するための第１の画面であって、前記第２のコンテンツを前記特定のユーザの所定のリストに追加するための第２の要求を受付可能に構成された前記第１の画面を、前記特定のユーザに対して提示する処理と、
前記第２の要求の受付に応じて、前記第２のコンテンツを前記特定のユーザの前記所定のリストに追加する処理と、
前記第１の画面におけるサブコンテンツの再生の完了に応じて、前記特定のユーザに対する前記第１のコンテンツの利用制限を解除する処理と、を実行させ、
前記第１の画面を提示する処理は、前記ユーザに関連付けられたユーザ情報に少なくとも基づいて、前記第２のコンテンツを紹介する第１の種類のサブコンテンツを再生するための前記第１の画面、又は、外部の広告配信サービスによって提供される第２の種類のサブコンテンツを再生するための第２の画面を選択的に前記特定のユーザに対して提示することを含み、
前記第１のコンテンツの利用制限を解除する処理は、前記第２の画面における前記第２の種類のサブコンテンツの再生の完了に応じて、前記特定のユーザに対する前記第１のコンテンツの利用制限を解除することを含む、
プログラム。
【手続補正２】
【補正対象書類名】明細書
【補正対象項目名】００４３
【補正方法】変更
【補正の内容】
【００４３】
図３は、この例において、ユーザ情報テーブル４１１において管理される情報を例示する。ユーザ情報テーブル４１１は、漫画閲覧サービスのユーザに関する情報を管理し、図示するように、個別のユーザを識別する「ユーザアカウント」に対応付けて、アカウント名、年齢、性別等のユーザの基本的な情報である「基本情報」、ユーザがこれまでにログインした回数を示す「ログイン回数」（第２のパラメータ）、所定の期間において（例えば、１日の期間において）漫画閲覧サービス内の漫画作品を紹介するミニ動画（サブコンテンツ）を再生した回数である「内部紹介動画再生回数」、同じく所定の期間において外部の広告配信サービスが提供するミニ動画を再生した回数である「外部広告動画再生回数」（第１のパラメータ）、「コイン数」、「お気に入りリスト情報」、「購入済みリスト情報」等の情報を管理する。